(57)【要約】      （修正有）【課題】安定性の向上を図り、掛けた衣類の重みや移動の際に簡易型ハンガー掛け全体が簡単に変形分解したり倒れたりして使用不能になるのを防ぐことのできる衣類収納ケース付き簡易型ハンガー掛けを提供する。【解決手段】衣類を掛ける上部横パイプ２と、上部横パイプ２の両端側をそれぞれ支持する支柱３と、上部横パイプ２の端部と支柱３の上端とを直角に連結する連結部材４と、各支柱３の下部を支える支柱受け５と、左右の支柱受け５の間に配置される引き出し式の衣類収納ケース６とから構成すると共に、衣類収納ケース６の両端側に上記支柱３の下部側が貫通する貫通孔６２ａ，６２ｂを形成した。【選択図】図１
0003152382.tif 000002
【実用新案登録請求の範囲】
【請求項１】
衣類を掛ける上部横パイプと、上部横パイプの両端側をそれぞれ支持する支柱と、上部横パイプの端部と支柱の上端とを直角に連結する連結部材と、各支柱の下部を支える支柱受けと、左右の支柱受けの間に配置される引き出し式の衣類収納ケースとから構成すると共に、衣類収納ケースの両端側に上記支柱の下部側が貫通する貫通孔を形成したことを特徴とする衣類収納ケース付き簡易型ハンガー掛け。
【請求項２】
衣類を掛ける上部横パイプと、上部横パイプの両端側をそれぞれ支持する支柱と、上部横パイプの端部と支柱の上端とを直角に連結する連結部材と、各支柱の下部を直接支え左右の支柱の下部側の間に配置される引き出し式の衣類収納ケースとから構成すると共に、衣類収納ケースの両端側に上記支柱の下部側を支持する支柱受穴を形成したことを特徴とする衣類収納ケース付き簡易型ハンガー掛け。
【請求項３】
衣類収納ケースの両端側の下面側には、支柱受けを係合する係合溝が形成されている請求項１記載の衣類収納ケース付き簡易型ハンガー掛け。
【請求項４】
衣類収納ケースの両端側の下面側には、支柱受けを係止する係合片が形成されている請求項１記載の衣類収納ケース付き簡易型ハンガー掛け。
【請求項５】
左右の各支柱受けの両端側の下面側には、キャスターが取り付けられている請求項１記載の衣類収納ケース付き簡易型ハンガー掛け。
【請求項６】
衣類収納ケースの四隅の下面側には、キャスターが取り付けられている請求項２記載の衣類収納ケース付き簡易型ハンガー掛け。
【考案の詳細な説明】
【技術分野】
【０００１】
この考案は、ハンガー掛け用の上部横パイプとこれを両側から支える支柱から構成され、簡単に組み立てて使用される簡易型ハンガー掛けに係り、特に、ハンガー掛けの下部に衣類収納ケースを取り付け、この衣類収納ケースによって上部横パイプを両側から支える支柱の下部側の連結保持を図り簡易型ハンガー掛け全体の安定性を高めて、掛けた衣類の重みや移動の際に簡易型ハンガー掛け全体が簡単に変形分解して使用不能になるのを防止できるようにした衣類収納ケース付き簡易型ハンガー掛けに関するものである。
【背景技術】
【０００２】
市販されている簡易型ハンガー掛け１０１は、例えば図８に示すように、ハンガーａを掛ける上部横パイプ１０２、上部横パイプ１０２の両端側を支持する２本の支柱１０３、上部横パイプ１０２の端部と支柱１０３の上端とを直角に連結する連結部材１０４、各支柱１０３を支える支柱受け１０５、左右支柱受け１０５の間に横架される下部連結杆１０６の各部品などから構成されている。及び各支柱受け１０５の下面には必要に応じて適宜キャスターが取り付けられる。
簡易型ハンガー掛け１０１の組み立ては、上部横パイプ１０２の両端側を左右の各支柱１０３の上端に取り付けられた連結部材１０４の横パイプ差込穴に差し込んで連結し、各支柱１０３の下端を支柱受け１０５の中央に形成された支柱受穴に差し込んで連結する。この支柱受け１０５の両端側の下面には必要に応じて適宜それぞれキャスターを予め取り付けておく。
そして、左右の支柱受け１０５を上部横パイプ１０２に対して直角向きに配置し、左右の互いに向かい合う支柱受け１０５の内向き側面１０５ａに形成された連結差込穴に下部連結杆１０６の両端をそれぞれ差し込んで連結することで、簡易型ハンガー掛け１０１の組み立てを簡単に行うことができる。
また、この下部連結杆１０６によって左右の支柱受け１０５の間隔が保持されて、簡易型ハンガー掛け１０１の下部側が変形するのが阻止され、下部側の変形阻止を通じて簡易型ハンガー掛け１０１の全体が変形分解するのを防いでいる。
【考案の概要】
【考案が解決しようとする課題】
【０００３】
ところで、重たい衣類や多くの衣類が上部横パイプ１０２に掛けられるとその重みによって、上部横パイプ１０２の両端を支える支柱１０３を通じて各支柱受け１０５には垂直下向きの力として作用する。このとき、上部横パイプ１０２に掛けられた衣類の重みで自然に或いは簡易型ハンガー掛け１０１を移動させることで支柱１０３が少し傾くと、各支柱受け１０５には垂直下向きの力と共に傾きによって生じる水平向きの力が作用する。
そして、この水平向きの力が、支柱受け１０５の内向き側面１０５ａと反対側となる外向き側面１０５ｂの方向に作用すると、簡易型ハンガー掛け１０１の下部連結杆１０６は前記したように、その両端を左右の支柱受け１０５の内向き側面１０５ａの連結差込穴に単に差し込んでいるだけであるので、下部連結杆１０６の端部は支柱受け１０５の連結差込穴から簡単に抜けて外れる。
左右の支柱受け１０５の間隔を保持する下部連結杆１０６が外れると、衣類の重みで簡易型ハンガー掛け１０１の下部側は簡単に変形して、これにより全体も変形して倒れたり或いは分解し易くなってハンガー掛けとしては使用不能になるという不都合があった。
また、掛けられた衣類の重みで簡易型ハンガー掛け１０１の上部側が重くなって重心位置が上部側に移動していると、簡易型ハンガー掛け１０１は全体的に不安定になり易く、特に、簡易型ハンガー掛け１０１の移動の際には、前記のように全体が変形分解し易くなると共に重心位置が上部側にあることで倒れ易くなるという不都合もあった。
【０００４】
この考案は、上記のような課題に鑑み、その課題を解決すべく創案されたものであって、その目的とするところは、ハンガー掛けの下部に衣類収納ケースを取り付け、この衣類収納ケースによって上部横パイプを両側から支える支柱の下部側の連結保持を高め簡易型ハンガー掛け全体の安定性の向上を図り、掛けた衣類の重みや移動の際に簡易型ハンガー掛け全体が簡単に変形分解したり倒れたりして使用不能になるのを防ぐことのできる衣類収納ケース付き簡易型ハンガー掛けを提供することにある。
【課題を解決するための手段】
【０００５】
以上の課題を達成するために、請求項１の考案は、衣類を掛ける上部横パイプと、上部横パイプの両端側をそれぞれ支持する支柱と、上部横パイプの端部と支柱の上端とを直角に連結する連結部材と、各支柱の下部を支える支柱受けと、左右の支柱受けの間に配置される引き出し式の衣類収納ケースとから構成すると共に、衣類収納ケースの両端側に上記支柱の下部側が貫通する貫通孔を形成した手段よりなるものである。
【０００６】
また、以上の課題を達成するために、請求項２の考案は、衣類を掛ける上部横パイプと、上部横パイプの両端側をそれぞれ支持する支柱と、上部横パイプの端部と支柱の上端とを直角に連結する連結部材と、各支柱の下部を直接支え左右の支柱の下部側の間に配置される引き出し式の衣類収納ケースとから構成すると共に、衣類収納ケースの両端側に上記支柱の下部側を支持する支柱受穴を形成した手段よりなるものである。
【考案の効果】
【０００７】
請求項１及び請求項２の考案に係る衣類収納ケース付き簡易型ハンガー掛けによれば、次のような極めて実用的有益なる効果を奏することができる。
支柱の下部側を衣類収納ケースの両端側に形成した貫通孔を貫通させてその下方に配置される支柱受けの支柱受穴に支柱の下端を差し込んで組み立てるようにしたので、或いは支柱の下部側を衣類収納ケースの両端側に形成した貫通孔を貫通させてその下方の支柱受穴に支柱の下端を差し込んで組み立てるようにしたので、従来の場合に比べて、衣類収納ケースの両端側の貫通孔で支柱の下部側を補強することができ、しかも、下部側に取り付けられた衣類収納ケースに衣類を収納することで、収納した衣類の重みで下部側を重くして、上側に移動していた重心位置を下げて、全体の安定性を高めることができ、さらに、衣類収納ケースは引き出し式であり、内部の引き出しと外枠によって剛性が高められて変形しにくくなっていて、従来に比べて支柱の下部側の連結保持を高め簡易型ハンガー掛け全体の安定性の向上を図ることができ、これにより、掛けた衣類の重みや移動の際に簡易型ハンガー掛け全体が簡単に変形分解したり倒れたりして使用不能になるのを防ぐことができる。
衣類収納ケースは引き出し式であるため、衣類収納ケースの上側のハンガー掛けに衣類が掛けられていても、ハンガー掛けに掛けた衣類に邪魔されることなく、衣類収納ケースから衣類を引き出したり収納したりすることができると共に、ハンガー掛けに掛けた衣類から落ちるゴミやホコリが衣類を収納した引き出しの内部に入るのを防ぐことができる。
【図面の簡単な説明】
【０００８】
【図１】この考案を実施するための形態を示す衣類収納ケース付き簡易型ハンガー掛けの正面図である。
【図２】この考案を実施するための形態を示す衣類収納ケース付き簡易型ハンガー掛けの側面図である。
【図３】（Ａ）はこの考案を実施するための形態を示す衣類収納ケース付き簡易型ハンガー掛けの平面図である。（Ｂ）はこの考案を実施するための形態を示す衣類収納ケースの平面図である。
【図４】（Ａ）（Ｂ）はこの考案を実施するための形態を示す衣類収納ケース付き簡易型ハンガー掛けの下部側の部分正面図である。
【図５】この考案を実施するための形態を示す別例の衣類収納ケース付き簡易型ハンガー掛けの正面図である。
【図６】この考案を実施するための形態を示す別例の衣類収納ケース付き簡易型ハンガー掛けの側面図である。
【図７】（Ａ）はこの考案を実施するための形態を示す別例の衣類収納ケース付き簡易型ハンガー掛けの平面図である。（Ｂ）はこの考案を実施するための形態を示す別例の衣類収納ケースの平面図である。
【図８】従来の簡易型ハンガー掛けの斜視図である。
【考案を実施するための形態】
【０００９】
以下、図面に記載の考案を実施するための形態に基づいて、この考案をより具体的に説明する。
衣類収納ケース付き簡易型ハンガー掛け１は、衣類を掛ける上部横パイプ２、上部横パイプ２の両端側をそれぞれ支持する支柱３、上部横パイプ２の端部と支柱３の上端とを直角に連結する連結部材４、各支柱３の下部を支える支柱受け５と左右の支柱受け５の間に配置される衣類収納ケース６（図１〜図４参照）、或いは左右の支柱受け５を省略し各支柱３の下部を直接支え左右の支柱３の下部側の間に配置される衣類収納ケース７（図５〜図７参照）、及び各支柱受け５の下面或いは衣類収納ケース７の両端側の下面に必要に応じて取り付けられるキャスター８、の各部品などから構成されている。
【００１０】
衣類収納ケース付き簡易型ハンガー掛け１は、市販の簡易型ハンガー掛けに衣類収納ケース６をそのまま取り付けたものであり、或いは支柱受け５を省略して衣類収納ケース７を取り付けたものである。つまり衣類収納ケース６又は衣類収納ケース７以外は市販の簡易型ハンガー掛けの部品がそのまま転用できる。
【００１１】
上部横パイプ２は、ハンガーに掛けられた衣類を掛ける部分で、ハンガーのフックが掛け易い円筒形のパイプが使用されている。その材質は衣類の重みで簡単に折れ曲がらないように例えば金属製パイプが使用されている。
【００１２】
上部横パイプ２の両端側を支える支柱３は例えば上下に伸縮できるような構造になっている。このため、支柱３は大小の２個の円筒形のパイプからなる上部支柱３１と下部支柱３２から構成され、下部支柱３２に直径が大きなパイプが使用され、この下部支柱３２のパイプの内部に直径の小さな上部支柱３１のパイプの下部側が一部挿入されて上下に伸縮できるようになっている。叉伸縮する支柱３の高さを調整できる調整摘み３３が下部支柱３２のパイプの上部側面に取り付けられている。
【００１３】
連結部材４は、上部横パイプ２の端部と支柱３の上端とを直角に連結する部材で、例えばＴ型の外形を有している。連結部材４のＴ型の左右方向の一方には上部横パイプ２の端部が差し込まれる差込横穴が形成されている。叉連結部材４のＴ型の下向きの下端側には支柱３の上端部が差し込まれる差込下穴が形成されている。
【００１４】
支柱受け５は、各支柱３の下端側に位置して支柱３を支えるもので、上部横パイプ２の両端側の下方に相対向して上部横パイプ２に対して直角向きに配置される。支柱受け５は、例えば平面から見て長円形状に横長になっていて、その中央には支柱３の下端が差し込まれる支柱受穴５１が形成されている。
【００１５】
また、横長な支柱受け５の両端側の下面にはキャスター８がそれぞれ取り付けられている。衣類収納ケース付き簡易型ハンガー掛け１は、このキャスター８を利用して衣類を掛けた状態で容易に移動させることができる。衣類収納ケース付き簡易型ハンガー掛け１を移動させたくない場合には、支柱受け５の下面にキャスター８を取り付けない。
【００１６】
図１〜図４に示す衣類収納ケース６は例えば横長で、両支柱３の下部側となる支柱受け５の間に取り付けられている。衣類収納ケース６は、例えば引き出し式になっていて、内部の衣類を入れる引き出し６１とこれを収納する外枠６２から構成されている。衣類収納ケース６は、衣類を収納できるのは勿論のこと、衣類収納ケース付き簡易型ハンガー掛け１の下部側が容易に変形分解するのを防ぐ機能を果たす。
【００１７】
また、衣類収納ケース付き簡易型ハンガー掛け１は、衣類を掛けることによってその衣類の重みで上部側が重くなって、重心位置が上側に移動して不安定になり易いが、衣類収納ケース６はこれを解消する機能を果たす。つまり、下部側に取り付けられた衣類収納ケース６に衣類を収納することで、収納した衣類の重みで下部側を重くして、上側に移動していた重心位置を下げて、全体の安定性を高める機能を果たす。
【００１８】
衣類収納ケース６の外枠６２は箱形になっていて、引き出し６１が出し入れされる正面を除く、上下両面、左右側面及び背面が塞がれていて、剛性が高められている。そしてこの内部に引き出し６１が収納されることにより、衣類収納ケース６は外枠６２と引き出し６１の二重構造によって、この衣類収納ケース付き簡易型ハンガー掛け１の下部側に外力が作用しても変形し難いように更に剛性を高めている。
【００１９】
左右の支柱受け５に取り付けられる衣類収納ケース６の外枠６２の両端側は、その上板面及び下板面が側板面から側方に突出しており、突出している上面及び下面の両端側の中央には、支柱３の下部側が貫通する貫通孔６２ａ、６２ｂが上下に形成されている。支柱３の下部側は、その下端が差し込まれている支柱受け５の支柱受穴５１より上側に取り付けられた衣類収納ケース６の外枠６２の貫通孔６２ａ、６２ｂを貫通して支持されている。従って、従来の支柱受け５の支柱受穴５１にのみ下端が差し込まれている場合に比べて、支柱３の下部側は変形や傾きにくくなり、このため支柱３の高さ方向全体も変形や傾きにくくなっている。
【００２０】
また、衣類収納ケース６の外枠６２の両端側の下板面の下面側には、支柱受け５を係合又は係止する下向きの係合溝６３（図１参照）或いは係止片６４（図４参照）が形成されている。各係合溝６３又は係止片６４は衣類収納ケース６の奥行き方向に向けて形成されている。係合溝６３（図１参照）又は係止片６４（図４参照）は、衣類収納ケース６の外枠６２の両端側を左右支柱受け５に載せてそこからずれたり落ちたりしないようにする。
【００２１】
図１に示す各係合溝６３は上面と両側壁面６３ａが塞がれ下面側が開放されている。このうち、係合溝６３の上面は外枠６２の両端側の下板面がそのまま兼ねる場合と、下板面と別体に新たなに設けられた係合溝６３の専用の上面となる場合（図１参照）がある。各係合溝６３は両側壁面６３ａが下向きに突起して形成されている。この両側壁面６３ａは支柱受け５は内向き側面５ａ及び外向き側面５ｂを両側から挟む箇所に設けられている。各係合溝６３は突出する両側壁面６３ａの間隔となる溝幅が支柱受け５の幅と略同じになっている。
【００２２】
外枠６２の下板面の両端側に下向きに形成された係合溝６３が、支柱受け５の上側から係合されて取り付けられることによって、衣類収納ケース６の両端側は支柱受け５にずれないよう支持されて取り付けられる。叉、左右の各支柱受け５はその内向き側面５ａ及び外向き側面５ｂが係合溝６３は両側壁面６３ａに挟まれるので、左右の支柱受け５はこの係合溝６３を通じて衣類収納ケース６の外枠６２の下面の両端側に保持されて、動いたり支柱受穴５１を中心に回動したりするのが阻止される。
【００２３】
また、図４に示す各係止片６４は外枠６２の両端側の下板面から下向きに突起して形成されている。この係止片６４は支柱受け５の内向き側面５ａ又は外向き側面５ｂに当接する箇所に設けられている。このうち、係止片６４が支柱受け５の内向き側面５ａに当接する箇所に設けられ場合（図４（Ａ）参照）には、左右の各係止片６４は外枠６２の両端から支柱受け５の幅の大きさ分だけ内側寄りに取り付けられる。また、係止片６４が支柱受け５の外向き側面５ｂに当接する箇所に設けられ場合（図４（Ｂ）参照）には、左右の各係止片６４は外枠６２の両端に取り付けられる。
【００２４】
外枠６２の下板面の両端側に下向きに形成された係止片６４が、支柱受け５の上側から内向き側面５ａ又は外向き側面５ｂに当接するように取り付けられることによって、衣類収納ケース６の両端側は支柱受け５にずれないよう支持されて取り付けられる。叉、左右の各支柱受け５はその内向き側面５ａ又は外向き側面５ｂが係止片６４に係止されるので、左右の支柱受け５はこの係止片６４を通じて衣類収納ケース６の外枠６２の下面の両端側に保持されて、動いたり支柱受穴５１を中心に回動したりするのが阻止される。
【００２５】
図５〜図７に示す衣類収納ケース７は前記衣類収納ケース６と異なり、支柱受け５を使用しないものであり、このため、その両端側の下面には支柱受け５に支持されるための係合溝６３や係止片６４は設けられていない。また、衣類収納ケース７は支柱３の下端側を直接支える構造になっている。
【００２６】
衣類収納ケース７は衣類収納ケース６と同様に横長で両支柱３の下部側となる支柱受け５の間に取り付けられている。衣類収納ケース７は、例えば引き出し式になっていて、内部の衣類を入れる引き出し７１とこれを収納する外枠７２から構成されている。衣類収納ケース７は、衣類を収納できるのは勿論のこと、衣類収納ケース付き簡易型ハンガー掛け１の下部側が容易に変形分解するのを防ぐ機能を果たす。
【００２７】
また、衣類収納ケース付き簡易型ハンガー掛け１は、衣類を掛けることによってその衣類の重みで上部側が重くなって、重心位置が上側に移動して不安定になり易いが、衣類収納ケース７はこれを解消する機能を果たす。つまり、下部側に取り付けられた衣類収納ケース７に衣類を収納することで、収納した衣類の重みで下部側を重くして、上側に移動していた重心位置を下げて、全体の安定性を高める機能を果たす。
【００２８】
衣類収納ケース７の外枠７２は箱形になっていて、引き出し７１が出し入れされる正面を除く、上下両面、左右側面及び背面が塞がれていて、剛性が高められている。そしてこの内部に引き出し７１が収納されることにより、衣類収納ケース７は外枠７２と引き出し７１の二重構造によって、この衣類収納ケース付き簡易型ハンガー掛け１の下部側に外力が作用しても変形し難いように更に剛性を高めている。
【００２９】
左右の支柱受け５に取り付けられる衣類収納ケース７の外枠７２の両端側は、その上板面及び下板面が側板面から側方に突出しており、突出している上面の両端側の中央には支柱３の下部側が貫通する貫通孔７２ａが上下向きに形成され、突出している下面の両端側の中央には支柱３の下端側が差し込まれる支柱受穴７２ｂが上向きに形成されている。
【００３０】
支柱３の下部側は、衣類収納ケース７の外枠７２の上板面の貫通孔７２ａを貫通し、その下端が下板面の支柱受穴７２ｂに差し込まれて支持される。従って、従来の支柱受け５の支柱受穴５１にのみ下端が差し込まれている場合に比べて、下部側が上下２箇所で支持されるため、支柱３の下部側は変形や傾きにくくなり、このため支柱３の高さ方向全体も変形や傾きにくくなっている。
【００３１】
また、横長な衣類収納ケース７の両端側の隅の下面にはキャスター８がそれぞれ取り付けられている。このため、衣類収納ケース７の両端側の隅の下面にはキャスター８を取り付けるためのキャスター取付穴が形成されている。衣類収納ケース付き簡易型ハンガー掛け１は、このキャスター８を利用して衣類を掛けた状態で容易に移動させることができる。衣類収納ケース付き簡易型ハンガー掛け１を移動させたくない場合には、衣類収納ケース７の下面にキャスター８を取り付けない。
【００３２】
次に、上記考案を実施するための形態の構成に基づく衣類収納ケース付き簡易型ハンガー掛け１の組み立てについて以下説明する。
先ず、衣類を掛ける上部横パイプ２の両端に、上部横パイプ２の端部と支柱３の上端とを直角に連結する連結部材４をそれぞれ装着する。各連結部材４は例えばＴ型の外形をしていて、Ｔ型の左右方向の一方には上部横パイプ２の端部が差し込まれる差込横穴が形成されているので、この差込横穴に上部横パイプ２の端部をそれぞれ差し込んで装着する。
【００３３】
続いて、上部横パイプ２の両端に装着された連結部材４の下端側に形成された差込下穴に各支柱３の上端部を差し込む。これにより、上部横パイプ２と左右の支柱３とは連結結合される。左右の支柱３は上部横パイプ２の両端から下向きに垂直に取り付けられる。その後、左右の支柱３の下部を衣類収納ケース６又は衣類収納ケース７に取り付ける。
【００３４】
衣類収納ケース６を取り付ける場合には、両端側の上面及び下面の中央に形成されている上下の貫通孔６２ａ、６２ｂに支柱３の下部側を挿入して貫通させる。貫通した支柱３の下端側を支柱受け５の中央に形成された支柱受穴５１に差し込む。衣類収納ケース付き簡易型ハンガー掛け１を可動型にしたい場合には、支柱受け５の下面の両端側にキャスター８を取り付ける。
【００３５】
このとき、衣類収納ケース６の両端側の下面に係合溝６３が設けられているときには、支柱受け５を係合溝６３の内部に係合させる。また、衣類収納ケース６の両端側の下面に係止片６４が形成されているときには、支柱受け５の内向き側面５ａ又は外向き側面５ｂを係止片６４によって動かないように係止させる。このようにして、衣類収納ケース付き簡易型ハンガー掛け１は簡単に組み立てられる。
【００３６】
衣類収納ケース７を取り付ける場合には、両端側の上面の中央に形成された貫通孔７２ａに支柱３の下部側を挿入して貫通させる。貫通した支柱３の下端側をその下方の両端側の下面の中央に形成された支柱受穴７２ｂに差し込む。衣類収納ケース付き簡易型ハンガー掛け１を可動型にしたい場合には、衣類収納ケース７の下面の四隅側にキャスター８を取り付ける。このようにして、衣類収納ケース付き簡易型ハンガー掛け１は簡単に組み立てられる。
【００３７】
なお、この考案は上記考案を実施するための形態に限定されるものではなく、この考案の精神を逸脱しない範囲で種々の改変をなし得ることは勿論である。
【符号の説明】
【００３８】
１    衣類収納ケース付き簡易型ハンガー掛け
２    上部横パイプ
３    支柱
３１    上部支柱
３２    下部支柱
３３    調整摘み
４    連結部材
５    支柱受け
５ａ  内向き側面
５ｂ  外向き側面
５１    支柱受穴
６    衣類収納ケース
６１    引き出し
６２    外枠
６２ａ  貫通孔
６２ｂ  貫通孔
６３    係合溝
６３ａ  側壁面
６４    係止片
７    衣類収納ケース
７１    引き出し
７２    外枠
７２ａ  貫通孔
７２ｂ  支柱受穴
８    キャスター
１０１    簡易型ハンガー掛け
１０２    上部横パイプ
１０３    支柱
１０４    連結部材
１０５    支柱受け
１０５ａ  内向き側面
１０６    下部連結杆
ａ    ハンガー
【図１】
0003152382.tif 000003
【図２】
0003152382.tif 000004
【図３】
0003152382.tif 000005
【図４】
0003152382.tif 000006
【図５】
0003152382.tif 000007
【図６】
0003152382.tif 000008
【図７】
0003152382.tif 000009
【図８】
0003152382.tif 000010